(57)【要約】【課題】構造を複雑化すること無く、被梱包物に付属される部品を収納し、作業性・保護性に優れた梱包装置を提供すること。【解決手段】本発明の梱包装置１は、複数の折り曲げ線で板紙を折り曲げてなり、空気調和機の室内機１０の内部に配置した梱包装置１であって、梱包装置１の一部に一体的に形成された、筒状の収納部２と、挟持部３とを備え、収納部２を室内機の前面に配置し、挟持部３を室内機の天面に配置することにより、梱包装置１を室内機の内部に組み付けた後に、付属品を収納することができるので、組立作業性を向上させることができる。【選択図】図２
2013121847.tif 000002
【特許請求の範囲】
【請求項１】
複数の折り曲げ線で板紙を折り曲げてなり、空気調和機の室内機の内部に配置した梱包装置であって、前記梱包装置の一部に一体的に形成された、筒状の収納部と、挟持部とを備え、前記収納部を前記室内機の前面に配置し、前記挟持部を前記室内機の天面に配置することを特徴とする梱包装置。
【請求項２】
前記収納部において、前記室内機の前面方向に開口する収納穴を設け、前記収納穴に付属品を収納したことを特徴とする請求項１に記載の梱包装置。
【請求項３】
前記挟持部に書面を挿入した後に、前記挟持部で前記書面を押圧固定することを特徴とする請求項１または２に記載の梱包装置。
【発明の詳細な説明】
【技術分野】
【０００１】
本発明は、分離型空気調和機の室内機等の梱包に用いられる梱包装置に関するものである。
【背景技術】
【０００２】
従来この種の梱包装置は、図９に示すように空気調和機等の被梱包物１０１に同梱されるリモコン等の付属品１２２を付属品収納箱１２３に収納して封かんを行ない、被梱包物の下面に配置させ被梱包物１０１の両端部に外装緩衝材１０２を当てがい、筒状の外箱１０３に収納し、結束バンド１０４にて結束して梱包を完了するようにしたものである（例えば、特許文献１参照）。
【先行技術文献】
【特許文献】
【０００３】
【特許文献１】特開平９−１２４０７５号公報
【発明の概要】
【発明が解決しようとする課題】
【０００４】
しかしながら、前記従来の梱包装置の構成では、被梱包物に付属される付属品は収納箱に収納されるため、収納箱の組立て作業必要となりに手間がかかると共に材料コストも増加させるだけではなく、輸送などの衝撃よる付属品の破損を防ぐため、収納部には十分なスペースを確保する必要があり、これにより包装全体の容積が大きくなり輸送・保管時の効率を低下させてしまうという課題を有していた。
【０００５】
本発明は、前記従来の課題を解決するものであり、構造を複雑化すること無く、被梱包物に付属される部品を収納し、作業性・保護性に優れた梱包装置を提供することを目的とする。
【課題を解決するための手段】
【０００６】
上記従来の課題を解決するために、本発明の梱包装置は、複数の折り曲げ線で板紙を折り曲げてなり、空気調和機の室内機の内部に配置した梱包装置であって、梱包装置の一部に一体的に形成された、筒状の収納部と、挟持部とを備え、収納部を室内機の前面に配置し、挟持部を室内機の天面に配置することにより、梱包装置を室内機の内部に組み付けた後に、付属品を収納することができるので、組立作業性を向上させることができる。
【発明の効果】
【０００７】
本発明によれば、構造を複雑化すること無く、被梱包物に付属される部品を収納し、作業性・保護性に優れた梱包装置を提供することができる。
【図面の簡単な説明】
【０００８】
【図１】本発明の実施の形態１における梱包装置の展開図
【図２】同実施の形態１における梱包装置の組み立て斜視図
【図３】同実施の形態１におけるＡＡ断面図
【図４】同実施の形態１における前面パネルを開口した室内機の斜視図
【図５】同実施の形態１における梱包装置を内部に組み付けた後に前面パネルを閉じた状態の室内機の斜視図
【図６】同実施の形態１におけるＢＢ断面図
【図７】同実施の形態１における室内機の外装を梱包する組立図
【図８】同実施の形態１における他の実施例の梱包装置の外観斜視図
【図９】従来の梱包装置の外観斜視図
【発明を実施するための形態】
【０００９】
第１の発明の梱包装置は、複数の折り曲げ線で板紙を折り曲げてなり、空気調和機の室内機の内部に配置した梱包装置であって、梱包装置の一部に一体的に形成された、筒状の収納部と、挟持部とを備え、収納部を室内機の前面に配置し、挟持部を室内機の天面に配置することにより、梱包装置を室内機の内部に組み付けた後に、付属品を収納することができるので、組立作業性を向上させることができ、さらには、付属品が、室内機の内側に入って収納されるため、付属品の収納スペースが削減でき、包装全体の容積も小さくすることができるので、梱包効率の良い梱包形態となり、物流時の輸送・保管効率も向上することができる。
【００１０】
第２の発明の梱包装置は、特に第１の発明において、収納部において、室内機の前面方向に開口する収納穴を設け、収納穴に付属品を収納したことにより、より付属品を収納しやすくなり、作業性が向上する。
【００１１】
第３の発明の梱包装置は、特に第１または第２の発明において、挟持部に書面を挿入した後に、挟持部で書面を押圧固定することにより、書面を挿入後に脱落しにくくなる。
【００１２】
以下、本発明の実施の形態について、図面を参照しながら説明する。なお、この実施の形態によって本発明が限定されるものではない。
【００１３】
（実施の形態１）
図１は本発明の実施の形態１における梱包装置の展開図、図２は同梱包装置の組み立て斜視図、図３はＡＡ断面図である。
【００１４】
まず、梱包装置１の組み立て構成について説明する。図１に示すように、梱包装置１は一枚のダンボール等の紙部材を折り曲げて構成されている。なお、図１において点線で示す箇所が折り曲げ箇所となっている。
【００１５】
また、図２に示すように、組み立て後の梱包装置１は略Ｌ字形状となっており、筒型形状の収納部２と、書類などを挟持可能な挟持部３とで構成されており、収納部２にはリモコン等の空気調和機の付属品を収納することができ、挟持部３には取扱説明書や据付工事説明書などを挟み込むことができる。また書類だけではなく、小さな付属品であれば挟持部３で挟み込むことができる。
【００１６】
また、組み立て前の梱包装置１において、収納部２は、筒型形状に折り曲げるようにして形成され、紙部材の一部を切り起こして形成した第一の爪部４を、紙部材の一部に開口して設けた第一の引っ掛け部５に挿入固定し、組み立てられる。その結果、収納部２には筒型形状の空間ができるため、付属品を収納することができる。
【００１７】
一方、挟持部３は、その断面図が略三角形状となるように、書面がはさみこめるように構成されている。具体的には、紙部材の一部を切り起こして形成した第二の爪部６を、紙部材の一部であって端部の一部を切り欠いた第二の引っ掛け部７を設け、第二の爪部６を第二の引っ掛け部７に引っ掛けるようにして、組み立てられる。
【００１８】
また、完成後に挟持部３に取扱説明書や据付工事説明書などの書面類を挿入しやすいように、端部を大きく切り欠いて、挟持部３の組み立て後に挿入部８が形成されるような切り欠き部９を設けている。このように構成することによって、三角形状の底面側には余裕
が生まれる一方で、切り欠き部９は挿入口が狭くなっているため、書面をはさんだときに、挿入部８近傍において書面をある程度の力で挟み込むことができ、書面が脱落しにくくなる。
【００１９】
以上のように、略Ｌ字型形状の梱包装置１が組み立てられる。次に、空気調和機の室内機の内部への組み付けについて説明する。
【００２０】
図４は前面パネルを開口した室内機の斜視図であり、図５は梱包装置１を内部に組み付けた後に前面パネルを閉じた状態の室内機の斜視図であり、図６はＢＢ断面図である。
【００２１】
梱包装置１は、室内機１０の前面パネル１１を開き、塵埃を捕集するエアフィルター１２の前面側に取り付けられる。このとき、梱包装置１の収納部２は室内機１０の前面側に配置され、挟持部３は室内機１０の天面側に配置される。
【００２２】
挟持部３には、取扱説明書や据付工事説明書などの書面類１３と、リモコン等の小さな付属品１４とを挿入して挟み込み、収納部２には、比較的大きな付属品１５を入れて、室内機１０の内部に組み付ける。
【００２３】
そして、梱包装置１を室内機１０の内部に組み付けた後、前面パネル１１を閉じることによって、エアフィルター１２を保持しているフィルター枠１６と前面パネル１１とで収納部２を挟み込まれる。このように構成することによって、輸送中などの振動等を収納部２で吸収することができる。
【００２４】
図７は室内機の外装を梱包する組立図である。図７に示すように、室内機１０の内部に梱包装置１を組み付けられた後は、室内機１０の外表面に袋１７を被せて、その後、室内機１０の側から外装緩衝材１８を嵌合させて、ダンボール等を筒状に形成した外箱１９に挿入する。そして外箱１９の外周に結束バンド２０を環状に掛けて梱包を完了する。
【００２５】
また、図８は梱包装置１の他の実施例である。図８では、収納部２の前方部（すなわち室内機の前面側方向）に開口する収納穴２１を設けている。そして収納穴２１に付属品１４および付属品１５が収まるようにしている。
【００２６】
このように構成することによって、梱包装置１を室内機１０の内部に組みつけた後に付属品１４および１５を組み入れることができるため、組立作業性が向上する。
【００２７】
以上のように構成することによって、組み立て梱包時の作業性が向上するだけではなく、前面パネルとフィルター枠の間に収納部を収めることによって、収納部が緩衝材の役割をして輸送時などの振動を吸収し、室内機１０が破損してしまうことを抑制することができる。
【００２８】
また、大きさが室内機１０の体積のみとなるため、室内機１０の外箱１９の大きさを小さくすることができ、また、保管時のスペースを抑えることができる。
【産業上の利用可能性】
【００２９】
以上のように本発明は、１台の室外機に１台の室内機が接続される空気調和機の室内機だけではなく、１台の室外機に複数台の室内機が接続されるマルチ型の空気調和機の室内機であっても適用することができる。
【符号の説明】
【００３０】
１  梱包装置
２  収納部
３  挟持部
【図１】
2013121847.tif 000003
【図２】
2013121847.tif 000004
【図３】
2013121847.tif 000005
【図４】
2013121847.tif 000006
【図５】
2013121847.tif 000007
【図６】
2013121847.tif 000008
【図７】
2013121847.tif 000009
【図８】
2013121847.tif 000010
【図９】
2013121847.tif 000011